(57)【要約】【課題】クラスタ数が制限されている場合に、少ない制御情報で帯域の割り当て情報を通知する。【解決手段】クラスタ化した周波数信号を、離散的に周波数帯域へ割り当てて通信を行なう無線通信システムに適用される基地局装置であって、離散的に割り当てるクラスタ数を所定値以下として、帯域割当決定部５が、各クラスタを離散的に割り当てる周波数帯域を決定し、その決定した各周波数帯域を特定する複数のインデックスに対応する帯域割り当て情報を選定し、制御情報生成部７、送信処理部９が、前記選定した帯域割り当て情報を移動局装置に通知する。帯域を割り当てる最小の帯域幅を、１以上のＲＢ（Resource Block）で構成されるＲＢＧ（Resource Block Group）とし、クラスタサイズを１以上のＲＢＧとする。【選択図】図１
2011142538.tif 000002
【特許請求の範囲】
【請求項１】
クラスタ化した周波数信号を、離散的に配置された周波数帯域に割り当てて通信を行なう無線通信システムに適用される基地局装置であって、
前記離散的に割り当てるクラスタ数を所定値以下として、前記各クラスタを離散的に割り当てる周波数帯域を決定し、
前記決定した各周波数帯域を特定する複数のインデックスに対応する帯域割り当て情報を選定し、
前記選定した帯域割り当て情報を移動局装置に通知することを特徴とする基地局装置。
【請求項２】
離散的に割り当てるクラスタ数が２以下であり、クラスタ数が１または２である場合の帯域割り当て情報を移動局装置へ通知することを特徴とする請求項１記載の基地局装置。
【請求項３】
前記帯域割り当て情報に、前記クラスタ単位で適用したプリコーディングを示す情報を付加することを特徴とする請求項１または請求項２記載の基地局装置。
【請求項４】
前記帯域割り当て情報に、前記クラスタ単位で適用した変調方式を示す情報を付加することを特徴とする請求項１または請求項２記載の基地局装置。
【請求項５】
帯域を割り当てる最小の帯域幅を、１以上のＲＢ（Resource Block）で構成されるＲＢＧ（Resource Block Group）とし、クラスタサイズを１以上のＲＢＧとすることを特徴とする請求項１から請求項４のいずれかに記載の基地局装置。
【請求項６】
前記帯域割り当て情報に既知ビットを挿入することによって、前記帯域割り当て情報のデータサイズを、周波数信号を連続的に配置された周波数帯域に割り当てた場合の帯域割り当て情報と同一にすることを特徴とする請求項１から請求項５のいずれかに記載の基地局装置。
【請求項７】
離散的に割り当てるクラスタ数が３であり、クラスタ数が３である場合の帯域割り当て情報を移動局装置へ通知することを特徴とする請求項１記載の基地局装置。
【請求項８】
前記クラスタを割り当てる最小の帯域幅を変更し、前記帯域割り当て情報に既知ビットを挿入することによって、前記帯域割り当て情報のデータサイズを、周波数信号を連続的に配置された周波数帯域に割り当てた場合の帯域割り当て情報と同一にすることを特徴とする請求項７記載の基地局装置。
【請求項９】
前記帯域割り当て情報に前記クラスタ単位で適用したプリコーディングを示す情報を付加すると共に既知ビットを挿入することによって、前記帯域割り当て情報のデータサイズを、周波数信号を連続的に配置された周波数帯域に割り当てた場合の帯域割り当て情報と同一にすることを特徴とする請求項７記載の基地局装置。
【請求項１０】
前記帯域割り当て情報に前記クラスタ単位で適用した変調方式を示す情報を付加すると共に既知ビットを挿入することによって、前記帯域割り当て情報のデータサイズを、周波数信号を連続的に配置された周波数帯域に割り当てた場合の帯域割り当て情報と同一にすることを特徴とする請求項７記載の基地局装置。
【請求項１１】
前記各クラスタのサイズが異なる場合、前記帯域割り当て情報に、クラスタサイズを示す情報を付加することを特徴とする請求項１記載の基地局装置。
【請求項１２】
前記各クラスタのサイズが同一であって、前記帯域割り当て情報を通知する度に前記クラスタサイズを変更可能である場合、前記帯域割り当て情報に、クラスタサイズを示す情報を付加することを特徴とする請求項１記載の基地局装置。
【請求項１３】
請求項１から請求項１２のいずれかに記載の基地局装置から前記帯域割り当て情報を受信し、前記受信した帯域割り当て情報に基づいて、周波数信号を前記割り当てられた周波数帯域に配置して、前記基地局装置へ送信することを特徴とする移動局装置。
【請求項１４】
請求項１から請求項１２のいずれかに記載の基地局装置と、請求項１３記載の移動局装置と、から構成されることを特徴とする無線通信システム。
【請求項１５】
クラスタ化した周波数信号を、離散的に配置された周波数帯域に割り当てて通信を行なう無線通信システムに適用される基地局装置の制御プログラムであって、
帯域を割り当てる最小の帯域幅を、１以上のＲＢ（Resource Block）で構成されるＲＢＧ（Resource Block Group）とし、クラスタサイズを１以上のＲＢＧとし、前記離散的に割り当てるクラスタ数を所定値以下として、前記各クラスタを離散的に割り当てる周波数帯域を決定する処理と、
前記決定した各周波数帯域を特定する複数のインデックスに対応する帯域割り当て情報を選定する処理と、
前記選定した帯域割り当て情報を移動局装置に通知する処理と、を含む一連の処理を、コンピュータに読み取り可能および実行可能にコマンド化したことを特徴とする基地局装置の制御プログラム。
【請求項１６】
クラスタ化した周波数信号を、離散的に配置された周波数帯域に割り当てて通信を行なう無線通信システムに適用される移動局装置の制御プログラムであって、
基地局装置から帯域割り当て情報を受信する処理と、
前記受信した帯域割り当て情報に基づいて、帯域を割り当てる最小の帯域幅を、１以上のＲＢ（Resource Block）で構成されるＲＢＧ（Resource Block Group）とし、クラスタサイズを１以上のＲＢＧとし、前記離散的に割り当てるクラスタ数を所定値以下として、周波数信号を前記割り当てられた周波数帯域に配置する処理と、
前記周波数帯域に配置した周波数信号を前記基地局装置に送信する処理と、を含む一連の処理を、コンピュータに読み取り可能および実行可能にコマンド化したことを特徴とする移動局装置の制御プログラム。
【請求項１７】
基地局装置に実装されることにより、前記基地局装置に複数の機能を発揮させる集積回路であって、
クラスタ化した周波数信号を、離散的に配置された周波数帯域に割り当てて通信を行なう機能と、
帯域を割り当てる最小の帯域幅を、１以上のＲＢ（Resource Block）で構成されるＲＢＧ（Resource Block Group）とし、クラスタサイズを１以上のＲＢＧとし、前記離散的に割り当てるクラスタ数を所定値以下として、前記各クラスタを離散的に割り当てる周波数帯域を決定する機能と、
前記決定した各周波数帯域を特定する複数のインデックスに対応する帯域割り当て情報を選定する機能と、
前記選定した帯域割り当て情報を移動局装置に通知する機能と、を含む一連の機能を、前記基地局装置に発揮させることを特徴とする集積回路。
【請求項１８】
移動局装置に実装されることにより、前記移動局装置に複数の機能を発揮させる集積回路であって、
クラスタ化した周波数信号を、離散的に配置された周波数帯域に割り当てて通信を行なう機能と、
基地局装置から帯域割り当て情報を受信する機能と、
前記受信した帯域割り当て情報に基づいて、帯域を割り当てる最小の帯域幅を、１以上のＲＢ（Resource Block）で構成されるＲＢＧ（Resource Block Group）とし、クラスタサイズを１以上のＲＢＧとし、前記離散的に割り当てるクラスタ数を所定値以下として、周波数信号を前記割り当てられた周波数帯域に配置する機能と、
前記周波数帯域に配置した周波数信号を前記基地局装置に送信する機能と、を含む一連の機能を、前記移動局装置に発揮させることを特徴とする集積回路。
【発明の詳細な説明】
【技術分野】
【０００１】
本発明は、基地局装置から移動局装置へ離散的な周波数帯域を割り当てる場合における帯域割り当てを示す制御情報を、効率的に通知する技術に関する。
【背景技術】
【０００２】
第３．９世代の携帯電話の無線通信システムであるＬＴＥ（Long Term Evolution）システムの標準化がほぼ終了し、最近ではＬＴＥシステムをより発展させた第４世代の無線通信システムであるＬＴＥ−Ａ（LTE-Advanced、IMT-Aなどとも称する。）の標準化が行なわれている。
【０００３】
ＬＴＥシステムのアップリンク（移動局装置から基地局装置への通信）では、ＰＡＰＲ（Peak to Average Power Ratio）特性が良好となるスペクトルを連続的な帯域に割り当てるＤＦＴ−Ｓ−ＯＦＤＭ（Discrete Fourier Transform Spread Orthogonal Frequency Division Multiplexing、SC-FDMAとも称される）が採用され、ＬＴＥ−Ａシステムでは、Ｃｌｕｓｔｅｒｅｄ  ＤＦＴ−Ｓ−ＯＦＤＭ（ダイナミックスペクトル制御（DSC:Dynamic Spectrum Control）、ＤＦＴ−Ｓ−ＯＦＤＭ  ｗｉｔｈ  ＳＤＣ（Spectrum Division Control）とも呼称される。）が採用されることが決定している。
【０００４】
Ｃｌｕｓｔｅｒｅｄ  ＤＦＴ−Ｓ−ＯＦＤＭは、ＤＦＴ−Ｓ−ＯＦＤＭと異なりスペクトルをクラスタ化した信号を離散的に配置することから、良好な伝搬路を選択して割り当てることで周波数選択ダイバーシチが得られ、柔軟なスケジューリングを可能とすることから帯域の使用率の向上もでき、セルスループットを向上させることができる。さらに、Ｃｌｕｓｔｅｒｅｄ  ＤＦＴ−Ｓ−ＯＦＤＭのクラスタの数が多くなるほどＰＡＰＲ特性が劣化することから、セルエッジ等の送信電力に制限のある移動局装置はクラスタ数を少なくすることやＤＦＴ−Ｓ−ＯＦＤＭでのデータ送信を行ない、両方式を切り替えて使用することなる。
【０００５】
ところで、ＬＴＥシステムでは複数の制御情報が用意されており、アップリンクやダウンリンク（基地局装置から移動局装置への通信）などでそれぞれＤＣＩ（Downlink Control Information）フォーマットとして定められている。たとえば、アップリンクの連続的な帯域割り当てなど情報を含むフォーマット０やダウンリンクのシングルアンテナ送信に用いられるフォーマット１もしくは、１Ａ、ダウンリンクのＭＩＭＯ（Multiple-Input Multiple-Output）多重伝送のためのフォーマット２などがある。（非特許文献１参照）各々のＤＣＩフォーマットは、構成するビット長と配置される周波数帯域のＰＤＣＣＨ（Physical Downlink Control Channel）内のサーチスペースが規定されている。
【０００６】
移動局装置は、ＰＤＣＣＨ内のサーチスペースに配置されているＤＣＩフォーマットのビット長の情報を基に復号処理を行ない、巡回冗長検査（CRC:Cyclic Redundancy Check）による復号結果の誤り検出を複数回行なうブラインドデコーディングにより、基地局装置からどのＤＣＩフォーマットなのかを通知されることなく、帯域の割り当て情報などを含む制御情報を取得することができる。その為、データサイズが異なるフォーマットが増えると、ブラインドデコードを試行する回数が増加することを意味し、データサイズの異なるフォーマット数がより少なくなることが望ましい。
【先行技術文献】
【非特許文献】
【０００７】
【非特許文献１】3GPP TS 36.212 (V8.7.0)“Evolved Universal Terrestrial Radio Access(E-UTRA) Multiplexing and channel coding”
【発明の概要】
【発明が解決しようとする課題】
【０００８】
ＬＴＥシステムのダウンリンクではＯＦＤＭが採用されていることから、連続的な帯域の割り当てと離散的な帯域の割り当ての両方のＤＣＩフォーマットが存在するが、アップリンクではＤＦＴ−Ｓ−ＯＦＤＭによる伝送のため、連続的な帯域の割り当てのＤＣＩフォーマットしか存在しない。そのため、ＬＴＥ−ＡシステムではＣｌｕｓｔｅｒｅｄ  ＤＦＴ−Ｓ−ＯＦＤＭによる伝送を行なうことから、アップリンクでの離散的な帯域割り当てを行なうＤＣＩフォーマットが追加することが検討されている。
【０００９】
しかしながら、アップリンクでは移動局装置の持つ増幅器の許容できるバックオフが基地局装置より少ないことから、ＰＡＰＲ特性を考慮してクラスタ数を制限することが考えられ、アップリンクの離散的な帯域割り当ての制御情報をダウンリンクの離散的な帯域割り当てと同様の方法を適用すると、帯域の割り当て情報が必要以上のデータサイズとなり、制御情報が増大することからスループットを低下させてしまう問題があった。
【００１０】
本発明は、このような事情を鑑みてなされたものであり、クラスタ数が制限されている場合に、少ない制御情報で帯域の割り当て情報を通知する基地局装置、移動局装置、無線通信システム、基地局装置の制御プログラム、移動局装置の制御プログラムおよび集積回路を提供することを目的とする。
【課題を解決するための手段】
【００１１】
（１）上記の目的を達成するために、本発明は、以下のような手段を講じた。すなわち、本発明の基地局装置は、クラスタ化した周波数信号を、離散的に配置された周波数帯域に割り当てて通信を行なう無線通信システムに適用される基地局装置であって、前記離散的に割り当てるクラスタ数を所定値以下として、前記各クラスタを離散的に割り当てる周波数帯域を決定し、前記決定した各周波数帯域を特定する複数のインデックスに対応する帯域割り当て情報を選定し、前記選定した帯域割り当て情報を移動局装置に通知することを特徴とする。
【００１２】
このように、離散的に割り当てるクラスタ数を所定値以下として、各クラスタを離散的に割り当てる周波数帯域を決定し、その決定した各周波数帯域を特定する複数のインデックスに対応する帯域割り当て情報を選定するので、離散的に帯域を割り当てる際、少ない情報量で帯域割り当て情報を通知することが可能となり、セルスループットの低下を防ぐことが可能となる。
【００１３】
（２）また、本発明の基地局装置は、離散的に割り当てるクラスタ数が２以下であり、クラスタ数が１または２である場合の帯域割り当て情報を移動局装置へ通知することを特徴とする。
【００１４】
このように、離散的に割り当てるクラスタ数が２以下であり、クラスタ数が１または２である場合の帯域割り当て情報を移動局装置へ通知するので、帯域割り当て情報を小さいサイズにすることができ、セルスループットの低下を防ぐことが可能となる。
【００１５】
（３）また、本発明の基地局装置は、前記帯域割り当て情報に、前記クラスタ単位で適用したプリコーディングを示す情報を付加することを特徴とする。
【００１６】
このように、帯域割り当て情報が小さいサイズとなることから、クラスタ単位で適用したプリコーディングを示す情報を付加することが可能となる。
【００１７】
（４）また、本発明の基地局装置は、前記帯域割り当て情報に、前記クラスタ単位で適用した変調方式を示す情報を付加することを特徴とする。
【００１８】
このように、帯域割り当て情報が小さいサイズとなることから、クラスタ単位で適用した変調方式を示す情報を付加することが可能となる。
【００１９】
（５）また、本発明の基地局装置は、帯域を割り当てる最小の帯域幅を、１以上のＲＢ（Resource Block）で構成されるＲＢＧ（Resource Block Group）とし、クラスタサイズを１以上のＲＢＧとすることを特徴とする。
【００２０】
このように、帯域を割り当てる最小の帯域幅を、１以上のＲＢで構成されるＲＢＧとし、クラスタサイズを１以上のＲＢＧとするので、本発明を、ＬＴＥ（Long Term Evolution）システムおよびＬＴＥ−Ａシステム（LTE-Advanced）に適用することが可能となる。
【００２１】
（６）また、本発明の基地局装置は、前記帯域割り当て情報に既知ビットを挿入することによって、前記帯域割り当て情報のデータサイズを、周波数信号を連続的に配置された周波数帯域に割り当てた場合の帯域割り当て情報と同一にすることを特徴とする。
【００２２】
このように、帯域割り当て情報が小さいサイズとなることから、帯域割り当て情報に既知ビットを挿入することが可能となる。
【００２３】
（７）また、本発明の基地局装置は、離散的に割り当てるクラスタ数が３であり、クラスタ数が３である場合の帯域割り当て情報を移動局装置へ通知することを特徴とする。
【００２４】
このように、離散的に割り当てるクラスタ数が３であり、クラスタ数が３である場合の帯域割り当て情報を移動局装置へ通知するので、帯域割り当て情報を小さいサイズにすることができ、セルスループットの低下を防ぐことが可能となる。
【００２５】
（８）また、本発明の基地局装置は、前記クラスタを割り当てる最小の帯域幅を変更し、前記帯域割り当て情報に既知ビットを挿入することによって、前記帯域割り当て情報のデータサイズを、周波数信号を連続的に配置された周波数帯域に割り当てた場合の帯域割り当て情報と同一にすることを特徴とする。
【００２６】
このように、帯域割り当て情報が小さいサイズとなることから、クラスタを割り当てる最小の帯域幅を変更し、帯域割り当て情報に既知ビットを挿入することが可能となる。
【００２７】
（９）また、本発明の基地局装置は、前記帯域割り当て情報に前記クラスタ単位で適用したプリコーディングを示す情報を付加すると共に既知ビットを挿入することによって、前記帯域割り当て情報のデータサイズを、周波数信号を連続的に配置された周波数帯域に割り当てた場合の帯域割り当て情報と同一にすることを特徴とする。
【００２８】
このように、帯域割り当て情報が小さいサイズとなることから、帯域割り当て情報にクラスタ単位で適用したプリコーディングを示す情報を付加すると共に既知ビットを挿入することが可能となる。
【００２９】
（１０）また、本発明の基地局装置は、前記帯域割り当て情報に前記クラスタ単位で適用した変調方式を示す情報を付加すると共に既知ビットを挿入することによって、前記帯域割り当て情報のデータサイズを、周波数信号を連続的に配置された周波数帯域に割り当てた場合の帯域割り当て情報と同一にすることを特徴とする。
【００３０】
このように、帯域割り当て情報が小さいサイズとなることから、帯域割り当て情報に前記クラスタ単位で適用した変調方式を示す情報を付加すると共に既知ビットを挿入することが可能となる。
【００３１】
（１１）また、本発明の基地局装置は、前記各クラスタのサイズが異なる場合、前記帯域割り当て情報に、クラスタサイズを示す情報を付加することを特徴とする。
【００３２】
このように、クラスタのサイズが異なる場合、帯域割り当て情報に、クラスタサイズを示す情報を付加するので、帯域割り当て情報およびクラスタサイズを示す情報を小さいサイズにすることができ、セルスループットの低下を防ぐことが可能となる。
【００３３】
（１２）また、本発明の基地局装置は、前記各クラスタのサイズが同一であって、前記帯域割り当て情報を通知する度に前記クラスタサイズを変更可能である場合、前記帯域割り当て情報に、クラスタサイズを示す情報を付加することを特徴とする。
【００３４】
このように、各クラスタのサイズが同一であって、帯域割り当て情報を通知する度にクラスタサイズを変更可能である場合、帯域割り当て情報に、クラスタサイズを示す情報を付加するので、帯域割り当て情報およびクラスタサイズを示す情報を小さいサイズにすることができ、セルスループットの低下を防ぐことが可能となる。
【００３５】
（１３）また、本発明の移動局装置は、上記（１）から（１２）のいずれかに記載の基地局装置から前記帯域割り当て情報を受信し、前記受信した帯域割り当て情報に基づいて、周波数信号を前記割り当てられた周波数帯域に配置して、前記基地局装置へ送信することを特徴とする。
【００３６】
この構成により、基地局装置において、離散的に帯域を割り当てる際、少ない情報量で帯域割り当て情報を通知することが可能となり、セルスループットの低下を防ぐことが可能となる。
【００３７】
（１４）また、本発明の無線通信システムは、上記（１）から（１２）のいずれかに記載の基地局装置と、上記（１３）記載の移動局装置と、から構成されることを特徴とする。
【００３８】
この構成により、基地局装置において、離散的に帯域を割り当てる際、少ない情報量で帯域割り当て情報を通知することが可能となり、セルスループットの低下を防ぐことが可能となる。
【００３９】
（１５）本発明の基地局装置の制御プログラムは、クラスタ化した周波数信号を、離散的に配置された周波数帯域に割り当てて通信を行なう無線通信システムに適用される基地局装置の制御プログラムであって、帯域を割り当てる最小の帯域幅を、１以上のＲＢ（Resource Block）で構成されるＲＢＧ（Resource Block Group）とし、クラスタサイズを１以上のＲＢＧとし、前記離散的に割り当てるクラスタ数を所定値以下として、前記各クラスタを離散的に割り当てる周波数帯域を決定する処理と、前記決定した各周波数帯域を特定する複数のインデックスに対応する帯域割り当て情報を選定する処理と、前記選定した帯域割り当て情報を移動局装置に通知する処理と、を含む一連の処理を、コンピュータに読み取り可能および実行可能にコマンド化したことを特徴とする。
【００４０】
このように、離散的に割り当てるクラスタ数を所定値以下として、各クラスタを離散的に割り当てる周波数帯域を決定し、その決定した各周波数帯域を特定する複数のインデックスに対応する帯域割り当て情報を選定するので、離散的に帯域を割り当てる際、少ない情報量で帯域割り当て情報を通知することが可能となり、セルスループットの低下を防ぐことが可能となる。また、帯域を割り当てる最小の帯域幅を、１以上のＲＢで構成されるＲＢＧとし、クラスタサイズを１以上のＲＢＧとするので、本発明を、ＬＴＥ（Long Term Evolution）システムおよびＬＴＥ−Ａシステム（LTE-Advanced）に適用することが可能となる。
【００４１】
（１６）また、本発明の移動局装置の制御プログラムは、クラスタ化した周波数信号を、離散的に配置された周波数帯域に割り当てて通信を行なう無線通信システムに適用される移動局装置の制御プログラムであって、基地局装置から帯域割り当て情報を受信する処理と、前記受信した帯域割り当て情報に基づいて、帯域を割り当てる最小の帯域幅を、１以上のＲＢ（Resource Block）で構成されるＲＢＧ（Resource Block Group）とし、クラスタサイズを１以上のＲＢＧとし、前記離散的に割り当てるクラスタ数を所定値以下として、周波数信号を前記割り当てられた周波数帯域に配置する処理と、前記周波数帯域に配置した周波数信号を前記基地局装置に送信する処理と、を含む一連の処理を、コンピュータに読み取り可能および実行可能にコマンド化したことを特徴とする。
【００４２】
この構成により、基地局装置において、離散的に帯域を割り当てる際、少ない情報量で帯域割り当て情報を移動局装置に通知することが可能となり、セルスループットの低下を防ぐことが可能となる。また、帯域を割り当てる最小の帯域幅を、１以上のＲＢで構成されるＲＢＧとし、クラスタサイズを１以上のＲＢＧとするので、本発明を、ＬＴＥ（Long Term Evolution）システムおよびＬＴＥ−Ａシステム（LTE-Advanced）に適用することが可能となる。
【００４３】
（１７）また、本発明の集積回路は、基地局装置に実装されることにより、前記基地局装置に複数の機能を発揮させる集積回路であって、クラスタ化した周波数信号を、離散的に配置された周波数帯域に割り当てて通信を行なう機能と、帯域を割り当てる最小の帯域幅を、１以上のＲＢ（Resource Block）で構成されるＲＢＧ（Resource Block Group）とし、クラスタサイズを１以上のＲＢＧとし、前記離散的に割り当てるクラスタ数を所定値以下として、前記各クラスタを離散的に割り当てる周波数帯域を決定する機能と、前記決定した各周波数帯域を特定する複数のインデックスに対応する帯域割り当て情報を選定する機能と、前記選定した帯域割り当て情報を移動局装置に通知する機能と、を含む一連の機能を、前記基地局装置に発揮させることを特徴とする。
【００４４】
このように、離散的に割り当てるクラスタ数を所定値以下として、各クラスタを離散的に割り当てる周波数帯域を決定し、その決定した各周波数帯域を特定する複数のインデックスに対応する帯域割り当て情報を選定するので、離散的に帯域を割り当てる際、少ない情報量で帯域割り当て情報を通知することが可能となり、セルスループットの低下を防ぐことが可能となる。また、帯域を割り当てる最小の帯域幅を、１以上のＲＢで構成されるＲＢＧとし、クラスタサイズを１以上のＲＢＧとするので、本発明を、ＬＴＥ（Long Term Evolution）システムおよびＬＴＥ−Ａシステム（LTE-Advanced）に適用することが可能となる。
【００４５】
（１８）また、本発明の集積回路は、移動局装置に実装されることにより、前記移動局装置に複数の機能を発揮させる集積回路であって、クラスタ化した周波数信号を、離散的に配置された周波数帯域に割り当てて通信を行なう機能と、基地局装置から帯域割り当て情報を受信する機能と、前記受信した帯域割り当て情報に基づいて、帯域を割り当てる最小の帯域幅を、１以上のＲＢ（Resource Block）で構成されるＲＢＧ（Resource Block Group）とし、クラスタサイズを１以上のＲＢＧとし、前記離散的に割り当てるクラスタ数を所定値以下として、周波数信号を前記割り当てられた周波数帯域に配置する機能と、前記周波数帯域に配置した周波数信号を前記基地局装置に送信する機能と、を含む一連の機能を、前記移動局装置に発揮させることを特徴とする。
【００４６】
この構成により、基地局装置において、離散的に帯域を割り当てる際、少ない情報量で帯域割り当て情報を移動局装置に通知することが可能となり、セルスループットの低下を防ぐことが可能となる。また、帯域を割り当てる最小の帯域幅を、１以上のＲＢで構成されるＲＢＧとし、クラスタサイズを１以上のＲＢＧとするので、本発明を、ＬＴＥ（Long Term Evolution）システムおよびＬＴＥ−Ａシステム（LTE-Advanced）に適用することが可能となる。
【発明の効果】
【００４７】
本発明を適用することにより、離散的な帯域の割り当て情報を少ない制御情報で通知することが可能となり、セルスループットの低下を防ぐことができる。
【図面の簡単な説明】
【００４８】
【図１】本発明において制御情報を移動局装置へ通知する基地局装置の構成を示すブロック図である。
【図２】本発明において基地局装置より通知された制御情報に含まれる帯域割り当て情報に基づき、データ送信を行なう移動局装置の構成の一例を示すブロック図である。
【図３】本発明の移動局装置がブラインドデコーディングにより制御情報の受信処理を行なう受信処理部１０１の構成の一例を示したブロック図である。
【図４】本発明の第１の実施形態について、アップリンクの離散配置をＲＢＧ単位で行なう場合において、クラスタ数を２に限定し、少ない制御情報量で帯域割り当てをする例を示す図である。
【図５Ａ】本発明の第１の実施形態に係る図４において、Ｎ’＝１０とした場合の表である。
【図５Ｂ】本発明の第１の実施形態について、アップリンクの離散配置をＲＢＧ単位で行なう場合において、クラスタ数を２に限定し、少ない制御情報量で帯域割り当てをする例を示す図である。
【図６】本発明の第１の実施形態において離散的な帯域を割り当てた一例を示す図である。
【図７Ａ】本発明の第１の実施形態について、ＲＢＧを構成するＲＢ数を表（２）のようにした場合において、帯域割り当てを示す情報のビット数を示す表である。
【図７Ｂ】本発明の第１の実施形態について、ＲＢＧを構成するＲＢ数を表（２）のようにした場合において、帯域割り当てを示す情報のビット数を示す表である。
【図８】本発明の第２の実施形態において離散的な帯域ＲＢＧ  Ｃ１、ＲＢＧ  Ｃ２、ＲＢＧ  Ｃ３に割り当てた一例を示す図である。
【図９】本発明の第２の実施形態について、アップリンクの離散配置をＲＢＧ単位で行なう場合において、クラスタ数を３に限定し、少ない制御情報量で帯域割り当てをする例を示す図である。
【図１０】本発明の第２の実施形態に係る図９において、Ｎ’＝１０とした場合の表である。
【図１１】本発明の第２の実施形態において離散的な帯域を割り当てた一例を示す図である。
【図１２Ａ】本発明の第２の実施形態について、ＲＢＧを構成するＲＢ数を表（２）のようにした場合において、帯域割り当てを示す情報のビット数を示す表である。
【図１２Ｂ】本発明の第２の実施形態について、ＲＢＧを構成するＲＢ数を表（２）のようにした場合において、帯域割り当てを示す情報のビット数を示す表である。
【図１３】本発明の第２の実施形態について、アップリンクの離散配置をＲＢＧ単位で行なう場合において、クラスタ数をＭとした場合に、少ない制御情報量で帯域割り当てをする例を示す図である。
【図１４Ａ】本発明の第３の実施形態においてクラスタ数を２として離散的な帯域を割り当てた一例を示す図である。
【図１４Ｂ】本発明の第３の実施形態においてクラスタ数を３として離散的な帯域を割り当てた一例を示す図である。
【図１５】ＬＴＥシステムにおいて連続的な帯域を割り当てた一例を示す図である。
【図１６】ＬＴＥシステムにおいて離散的な帯域を割り当てた一例を示す図である。
【発明を実施するための形態】
【００４９】
ＬＴＥシステムにおけるアップリンクとダウンリンクでの連続的な帯域割り当ての制御情報について説明する。
【００５０】
図１５は、ＬＴＥシステムにおいて連続的な帯域を割り当てた一例を示す図である。本例では、移動局装置に割り当て可能なリソースブロック（Resource Block、以下、RBと呼ぶ）数が１０であり、連続的なＲＢを割り当てた一例である。ただし、ＲＢは１２サブキャリアから構成されるものとする。ＲＢ＃３、ＲＢ＃４、ＲＢ＃５が連続的に割り当てられた場合は、割り当て開始のＲＢ＃３を示すインデックスと連続して割り当てたＲＢ数の３を基地局装置から移動局装置へ通知することで、移動局装置が割り当てられた帯域を判別する。ＬＴＥシステムにおいて、移動局装置に割り当て可能なＲＢ数をＮとした場合の帯域割り当て情報のデータサイズは式（１）のビット数となる。
【００５１】
ｃｅｉｌ（ｌｏｇ２（Ｎ（Ｎ＋１）／２））  …  式（１）
ただし、ｃｅｉｌ（Ｘ）は、Ｘよりも大きく最もＸに近い整数とする。
【００５２】
ＬＴＥシステムのダウンリンクおける離散的な帯域割り当ての制御情報について説明する。
【００５３】
図１６は、ＬＴＥシステムにおいて離散的な帯域を割り当てた一例を示す図である。本例では、移動局装置に割り当て可能なリソースブロックグループ（Resource Block Group、以下、RBGと呼ぶ）の数を１０とし、離散的なＲＢＧを割り当てた一例である。ただし、ＲＢＧはＲＢの整数倍から構成され、本例ではＲＢＧを構成するＲＢの数をＰとする。この場合の帯域割り当て情報は、割り当てたＲＢＧを１、割り当てないＲＢＧを０とし、それぞれのＲＢＧの割り当てを１ビットで表す。ＲＢＧ＃１、ＲＢＧ＃５、ＲＢＧ＃８に割り当てを行なう場合では、「０  １  ０  ０  ０  １  ０  ０  １  ０」と１０ビットで表すことができる。そのため、ＬＴＥシステムでは移動局装置に割り当て可能なＲＢ数をＮ、ＲＢＧを構成するＲＢ数をＰとした場合の帯域割り当て情報を式（２）のビット数で表すことが決まっている。
ｃｅｉｌ（Ｎ／Ｐ）  …  式（２）
【００５４】
以下、本発明の実施形態について図面を参照して説明する。
［第１の実施形態］
本実施形態では、移動局装置が離散的に割り当て可能なクラスタ数を２もしくは、２以下とした場合のＣｌｕｓｔｅｒｅｄ  ＤＦＴ−Ｓ−ＯＦＤＭのアクセス方式でのデータ伝送を行なう場合に、基地局装置から小さいサイズの帯域割り当て情報で通知する一例について説明する。ただし、離散的な帯域割り当ての方法のため、マルチキャリアであるＯＦＤＭにも適用可能である。
【００５５】
図１は、本発明において制御情報を移動局装置へ通知する基地局装置の構成を示すブロック図である。以下、図１を用いて説明する。ただし、本発明を説明するのに必要な最小限のブロック図としている。基地局装置では、移動局装置から伝搬路推定用の信号とデータが多重されている信号を受信し、データ分離部１でデータを分離した参照信号を得る。移動局装置へ割り当てる帯域は、伝搬路推定部３により既知信号である参照信号から周波数応答を推定し、推定された伝搬路情報により決定される。帯域割当決定部５で決定された帯域割り当て情報は、制御情報生成部７により、変調方式や符号化率なども含む制御情報として生成する。制御情報は、送信処理部９を介して移動局装置に通知される。
【００５６】
図２は、本発明において基地局装置より通知された制御情報に含まれる帯域割り当て情報に基づき、データ送信を行なう移動局装置の構成の一例を示すブロック図である。以下、図２を用いて説明する。移動局装置は、受信処理部１０１で制御情報の受信し、帯域割当情報取得部１０３で制御情報に含まれる帯域割り当て情報を抽出し、マッピング部１０５に入力する。ただし、受信処理部１０１には予め必要な制御情報のフォーマット情報が入力されているものとする。
【００５７】
一方、データビットに符号化とＱＰＳＫ（Quaternary Phase Shift Keying；四相位相偏移変調）、１６ＱＡＭ（16-ary Quadrature Amplitude Modulation；１６直交振幅変調）などの変調を施された変調シンボルがＦＦＴ部１０７に入力される。ＦＦＴ部１０７により、時間領域の変調シンボルから周波数領域の信号に変換されたデータ信号は、マッピング部１０５で帯域割当情報取得部１０３より入力された帯域割り当てに基づき、信号を割り当てられた周波数に配置する。ＩＦＦＴ部１０９により周波数領域の信号を時間領域の信号に変換した後に、時間領域で参照信号を参照信号多重部１１１で多重する。本実施形態では、時間領域で参照信号を多重したが、周波数領域で参照信号を多重しても良い。参照信号が多重された送信信号は、ＣＰ（Cyclic Prefix）を付加した後に無線部を介し、基地局装置へ送信する。
【００５８】
図３は、本発明の移動局装置がブラインドデコーディングにより制御情報の受信処理を行なう受信処理部１０１の構成の一例を示したブロック図である。受信処理部１０１は、予め移動局装置が受信する必要がある制御情報のフォーマット情報をフォーマット情報取得部１０１１に入力される。フォーマット情報取得部１０１１は、入力されたフォーマット情報からブラインドデコーディングする制御情報のデータサイズの情報を復号部１０１３に入力し、同一のデータサイズの制御情報が複数存在する場合は、制御情報内に含まれるフラグ情報で制御情報のフォーマットを判別するため、フラグの情報をフォーマットチェック部１０１５に入力する。
【００５９】
復号部１０１３は、制御情報が配置されるＰＤＣＣＨ内のサーチスペースからフォーマット情報取得部１０１１より入力されたデータサイズの復号処理を行なう。ユーザ判別処理部１０１７では、制御情報に付加されている巡回冗長検査（CRC:Cyclic Redundancy Check）ビットに対してユーザＩＤと排他的論理和をとり、他ユーザへ通知された制御情報を受信しないようにマスクを行なう。巡回冗長検査部１０１９では、復号結果が正しいかの判定を行なう。復号結果が正しい場合は、同一のデータサイズの制御情報が複数存在するのみフォーマットチェック部１０１５において、受信した制御情報内のフラグによりフォーマットを判別する。ＬＴＥシステムの例では、アップリンク用のフォーマット０とダウンリンク用のフォーマット１Ａでは同一のデータサイズの制御情報であるために、フラグによる判別を行なう。
【００６０】
図４は、本発明の第１の実施形態について、アップリンクの離散配置をＲＢＧ単位で行なう場合において、クラスタ数を２に限定し、少ない制御情報量で帯域割り当てをする例を示す図である。以下、図４を用いて説明する。移動局装置へ割り当て可能なＲＢ数はＮとし、ＲＢＧを構成するＲＢ数はＰとする。また、ＲＢＧ数を式（３）で定義されるＮ’とする。
【００６１】
Ｎ’＝ｃｅｉｌ（Ｎ／Ｐ）  …  式（３）
【００６２】
ＬＴＥシステムのダウンリンクの離散的な割り当ての組み合わせの総数は、離散的に割り当てるＲＢＧ数が０からＮ’までの全てを表すことができるために多く、Ｎ’のＲＢＧから離散的に割り当てるＲＢＧ数が２とした場合より多いことが表（１）よりわかる。
【００６３】
【表１】
2011142538.tif 000003
【００６４】
そのため、ＬＴＥシステムにおけるダウンリンクの離散配置の帯域割り当て方法をＬＴＥ−Ａのアップリンクに適用する場合には、冗長な帯域の割り当て情報を移動局装置へ通知することからセルスループットを低下させる原因の一因となる。よって、割り当てるＲＢＧ数が２の離散配置の制御情報に含まれる帯域割り当ては、表（１）より式（４）のビット数で表される。
【００６５】
ｃｅｉｌ（ｌｏｇ２（Ｎ’（Ｎ’−１）／２））  …  式（４）
【００６６】
上記のビット数で帯域割り当てを示す場合には、従来のＬＴＥシステムのダウンリンクで用いられていたＲＢＧ毎に１ビットを割り当てることはできなくなるため、基地局装置から移動局装置へ通知する帯域割り当てを示す制御情報の値と帯域割り当てを一意に決める一例を示す。
【００６７】
移動局装置へ割り当てるＲＢＧ数が２であり、クラスタを割り当てるＲＢＧのインデックスをＣ１、Ｃ２とし、Ｃ１＜Ｃ２が成り立つものとする。式（４）のビット数で表すことができる値は、０〜（Ｎ’（Ｎ’−１）／２）−１であり、基地局装置から移動局装置に通知される帯域割り当て情報をＲａｌｌｏｃとする。Ｒａｌｌｏｃの値により、図４の様な帯域割り当てとしても良い。
【００６８】
図５Ａは、本発明の第１の実施形態に係る図４において、Ｎ’＝１０とした場合の表である。例えば、Ｒａｌｌｏｃ＝３７となる場合には、３５≦Ｒａｌｌｏｃ≦３８であることから、Ｃ１＝６、同様に図５Ａの式よりＣ２＝８となることがわかる。ただし、Ｃ１とＣ２の決定は図４や図５Ａの方法に限らず、例えば図５Ｂの様にしても良い。
【００６９】
図５Ｂは、本発明の第１の実施形態について、アップリンクの離散配置をＲＢＧ単位で行なう場合において、クラスタ数を２に限定し、少ない制御情報量で帯域割り当てをする例を示す図である。図５Ｂでは、０≦Ｒａｌｌｏｃ≦（Ｎ’−１）−１の場合に、Ｃ１＝１、Ｃ２＝Ｒａｌｌｏｃ＋２とし、（Ｎ’−１）≦Ｒａｌｌｏｃ≦（Ｎ’−１）＋（Ｎ’−２）−１の場合にＣ１＝２、Ｃ２＝｛Ｒａｌｌｏｃ−（Ｎ’−１）｝＋３とする。
【００７０】
図６は、本発明の第１の実施形態において離散的な帯域を割り当てた一例を示す図である。図６のＲＢＧ＃１とＲＢＧ＃４を割り当てる場合の帯域割り当て情報の値は、図５ＡよりＲａｌｌｏｃ＝６となる。以上の帯域割り当て情報を用いることにより、従来の離散的な帯域割り当て情報と比較し、大幅にデータサイズを小さくすることができる。ただし、図５Ａの場合においては、ｒｅｓｅｒｖｅｄとして使用しない帯域の割り当て情報の値が存在したが、割り当てＲＢＧ数を１とした場合の割り当てに使用しても良い。
【００７１】
ＬＴＥシステムのダウンリンクでは、ＲＢＧを構成するＲＢ数を移動局装置に割り当て可能なＲＢ数により、以下の表（２）のように定めている。
【００７２】
【表２】
2011142538.tif 000004
【００７３】
図７Ａおよび図７Ｂは、本発明の第１の実施形態について、ＲＢＧを構成するＲＢ数を表（２）のようにした場合において、帯域割り当てを示す情報のビット数を示す表である。ＬＴＥ−ＡシステムのアップリンクのＲＢＧを構成するＲＢ数を表（２）で決定する場合は、本実施形態を適用すると従来のＬＴＥシステムにおけるダウンリンクの離散配置の帯域割り当て情報だけでなく、ＬＴＥシステムにおけるアップリンクやダウンリンクの連続配置の帯域割り当て情報よりも図７Ａおよび図７Ｂに示す通り、小さいデータサイズとなる。
【００７４】
そのため、アップリンクで連続配置の帯域割り当て情報をＬＴＥシステムと同一のビット数で示す場合には、ブラインドデコーディングを削減する観点で、離散配置のみで必要な制御情報を付加することやビット長を同一にする目的で既知のビットパターンを追加するパディングを行なっても良い。離散配置のみで必要もしくはサイズが増加する制御情報は、例えば、複数のアンテナによるデータ送信時に用いるプリコーディングをクラスタ単位で適用する場合にはクラスタ数分必要になるため、離散配置の場合のみ増加する制御情報となる。また、マルチキャリア伝送であれば、クラスタ単位で変調方式を変えることも可能であることから、離散配置の場合のみに変調方式の制御情報が増え、制御情報に付加しても良い。
【００７５】
本実施形態では、ＲＢＧを構成するＲＢ数をＬＴＥシステムのダウンリンクの離散配置と同様に決めたが、周波数選択ダイバーシチ効果をより得るためにＲＢＧを構成するＲＢ数を１にするなど、異なる値にしても良い。本実施形態では、常にＲＢＧを構成するＲＢ数を１としても、図７Ａおよび図７Ｂで示した従来のＬＴＥシステムにおける連続配置や離散配置よりも帯域割り当て情報は少なくなる。本実施形態を適用することにより、クラスタ数を２に固定もしくは、２以下と制限し、クラスタ数が２もしくは２以下の場合のみを示す帯域割り当て情報を通知することにより、基地局装置から移動局装置へ通知する制御情報量が少なくなることから、セルスループットを向上させることができる。
【００７６】
［第２の実施形態]
本実施形態では、移動局装置が離散的に割り当てられるクラスタ数を３に制限される場合におけるＣｌｕｓｔｅｒｅｄ  ＤＦＴ−Ｓ−ＯＦＤＭのアクセス方式でのデータ伝送において、基地局装置から少ない制御情報のサイズで割り当て情報を通知する一例について説明する。ただし、離散的な帯域割り当ての方法のため、マルチキャリアであるＯＦＤＭにも適用可能である。
【００７７】
図８は、本発明の第２の実施形態において離散的な帯域ＲＢＧ  Ｃ１、ＲＢＧ  Ｃ２、ＲＢＧ  Ｃ３に割り当てた一例を示す図である。図８を用いて、本実施形態の一例を説明する。図８は、移動局装置に割り当て可能なＲＢＧ数がＮ’とし、移動局装置へ離散的に割り当てたクラスタ数を３、各クラスタを割り当てたＲＢＧのインデックスをＣ１、Ｃ２、Ｃ３であり、Ｃ１＜Ｃ２＜Ｃ３が成り立つものとする。この場合の離散的な割り当ての組み合わせの総数は、式（５）となる。
【００７８】
（Ｎ’（Ｎ’−１）（Ｎ’−２）／６）通り  …  式（５）
【００７９】
そのため、表（１）に示したＬＴＥシステムにおけるダウンリンクの離散配置の帯域割り当て方法をＬＴＥ−Ａのアップリンクに適用する場合には、前記実施形態で示した通り冗長な帯域の割り当て情報を移動局装置へ通知することからセルスループットを低下させる原因となる。よって、割り当てるＲＢＧ数が３の離散配置の制御情報に含まれる帯域割り当ては、式（５）より式（６）のビット数で表される。
【００８０】
ｃｅｉｌ（ｌｏｇ２（Ｎ’（Ｎ’−１）（Ｎ’−２）／６））  …  式（６）
【００８１】
上記のビット数で帯域割り当てを示す場合には、従来のＬＴＥシステムのダウンリンクで用いられていたＲＢＧ毎に１ビットを割り当てることはできなくなるため、基地局装置から移動局装置へ通知する帯域割り当てを示す制御情報の値と帯域割り当てを一意に決める一例を示す。
【００８２】
図９は、本発明の第２の実施形態について、アップリンクの離散配置をＲＢＧ単位で行なう場合において、クラスタ数を３に限定し、少ない制御情報量で帯域割り当てをする例を示す図である。基地局装置から移動局装置に通知される帯域割り当て情報をＲａｌｌｏｃとし、Ｒａｌｌｏｃの値により、図９の様な帯域割り当てとしても良い。Ｃ２とＣ３の割り当ては、前記実施形態の２クラスタの割り当てと同様のため、省略している。
【００８３】
図１０は、本発明の第２の実施形態に係る図９において、Ｎ’＝１０とした場合の表である。例えば、Ｒａｌｌｏｃ＝１０５となる場合には、１００≦Ｒａｌｌｏｃ≦１０９であることから、Ｃ１＝５、同様に図１０よりＣ２＝７、Ｃ３＝９となることがわかる。
【００８４】
図１１は、本発明の第２の実施形態において離散的な帯域を割り当てた一例を示す図である。図１１のＲＢＧ＃２とＲＢＧ＃４とＲＢＧ＃９を割り当てる場合の帯域割り当て情報の値は、図１０よりＲａｌｌｏｃ＝４４となる。以上の帯域割り当て情報を用いることにより、従来の離散的な帯域割り当て情報と比較し、大幅にデータサイズを小さくすることができる。
【００８５】
図１２Ａおよび図１２Ｂは、本発明の第２の実施形態について、ＲＢＧを構成するＲＢ数を表２のようにした場合において、帯域割り当てを示す情報のビット数を示す表である。本実施形態では、ＬＴＥシステムにおけるダウンリンクの離散配置の帯域割り当て情報よりも小さいデータサイズで帯域割り当て情報を表すことができる。また、ＬＴＥシステムにおけるアップリンクやダウンリンクの連続配置の帯域割り当て情報とほぼ同じサイズとなる。本実施形態においても、ＲＢＧを構成するＲＢ数を表（３）のように決定することで、ＬＴＥシステムの連続配置の帯域割り当て情報よりも小さいデータサイズで表すことができる。
【００８６】
【表３】
2011142538.tif 000005
【００８７】
ＬＴＥ−Ａシステムのアップリンクの離散的な帯域割り当ては、ＬＴＥシステムにおけるダウンリンクの離散配置の帯域割り当てを用いると冗長になることから、制限したクラスタ数のみ示す制御情報で帯域割り当てを行なうことで従来の離散的な帯域割り当ての情報よりデータサイズを削減し、ダウンリンクの連続配置の帯域割り当てと同一のデータサイズとし、ブラインドデコーディングの試行回数を少なくしても良い。また、本実施形態を適用することで帯域の割り当て情報を削減できた分に新たな制御情報を付加しても良い。新たな制御情報は、例えば、複数のアンテナによるデータ送信時に用いるプリコーディングをクラスタ単位で適用する場合にはクラスタ毎に適用することでスループットを向上させることができるため、プリコーディングの情報を増やしても良い。また、マルチキャリア伝送であれば、クラスタ単位で変調方式を変えることも可能であることから、離散配置の場合のみに変調方式の制御情報が増え、制御情報に付加しても良い。
【００８８】
本実施形態では、離散的に割り当てるクラスタ数を３としているが、３以下としてもＬＴＥシステムのダウンリンクで用いられている離散的な帯域割り当て情報よりデータサイズを圧縮できるため、離散的に割り当てるクラスタ数を３以下としても良い。また、クラスタ数の上限を４以上としても適用可能である。
【００８９】
図１３は、本発明の第２の実施形態について、アップリンクの離散配置をＲＢＧ単位で行なう場合において、クラスタ数をＭとした場合に、少ない制御情報量で帯域割り当てをする例を示す図である。図１３において、Ｍ＝４とした場合には本実施形態のＭ＝３である図９の表を用いて、クラスタ数が４の場合も表すことができる。そのため、任意のＭにおいても帰納的に求めることができ、同様にクラスタ数を制限することで帯域の割り当て情報のデータサイズを減らすことが可能である。本実施形態を適用することにより、クラスタ数を３に制限し、クラスタ数が３の場合のみを示す帯域割り当て情報を通知することにより、基地局装置から移動局装置へ通知する制御情報量が少なくなることから、セルスループットを向上させることができる。
【００９０】
［第３の実施形態］
本実施形態では、移動局装置が離散的に割り当てられるクラスタ数を制限される場合におけるＣｌｕｓｔｅｒｅｄ  ＤＦＴ−Ｓ−ＯＦＤＭのアクセス方式でのデータ伝送において、各クラスタのサイズが異なる場合に基地局装置から少ない制御情報のサイズで割り当て情報を通知する一例について説明する。ただし、離散的な帯域割り当ての方法のため、マルチキャリアであるＯＦＤＭにも適用可能である。図１４Ａ、１４Ｂを用いて、本実施形態の一例を説明する。
【００９１】
図１４Ａは、本発明の第３の実施形態においてクラスタ数を２として離散的な帯域を割り当てた一例を示す図である。図１４Ｂは、本発明の第３の実施形態においてクラスタ数を３として離散的な帯域を割り当てた一例を示す図である。前実施形態では、離散的に割り当てるＲＢＧ数は１としていたが、本実施形態ではＲＢＧ数を１もしくは２とする。図１４Ａのクラスタ数を２とし場合の割り当てを示す情報は、式（４）で示せるが、さらにクラスタサイズを指定するビットを追加することで、クラスタ毎のサイズを変えることができる。クラスタ数が２の場合において、Ｃ１、Ｃ２をクラスタの割り当てを示すインデックスとし、Ｃ１＿ＳＩＺＥ、Ｃ２＿ＳＩＺＥをそれぞれのクラスタのサイズとする。この場合のクラスタサイズは、２ビットで表（４）の様に表すことができる。
【００９２】
【表４】
2011142538.tif 000006
【００９３】
図１４Ａの例では、離散的な割り当てを示すＲＢＧをＣ１＝３、Ｃ２＝８とし、クラスタサイズを示す制御情報を「１０」と表すことができる。そのため、帯域の割り当てを示す制御情報は、式（７）のビット数で表すことができる。
【００９４】
ｃｅｉｌ（ｌｏｇ２（Ｎ’（Ｎ’−１）／２））＋２  …  式（７）
【００９５】
図１４Ｂのクラスタ数を３とし場合も同様に、クラスタサイズを示す制御情報を表（５）の様に３ビットで表すことができる。ただし、Ｃ１、Ｃ２、Ｃ３はクラスタの割り当てを示すインデックスとし、Ｃ１＿ＳＩＺＥ、Ｃ２＿ＳＩＺＥ、Ｃ３＿ＳＩＺＥをそれぞれのクラスタのサイズとする。
【００９６】
【表５】
2011142538.tif 000007
【００９７】
図１４Ｂの例では、離散的な割り当てを示すＲＢＧをＣ１＝１、Ｃ２＝６、Ｃ３＝９とし、クラスタサイズを示す制御情報を「１１０」と表すことができる。そのため、帯域の割り当てを示す制御情報は、式（６）より式（８）のビット数で表すことができる。
【００９８】
ｃｅｉｌ（ｌｏｇ２（Ｎ’（Ｎ’−１）（Ｎ’−２）／６））＋３  …  式（８）
【００９９】
本実施形態の例では、クラスタサイズを１ＲＢＧか２ＲＢＧとしたが、クラスタサイズを３ＲＢＧ以上としても良い。また、クラスタサイズを２通りとしているが、３通り以上を指定できるようにしても良い。本実施形態では、クラスタ毎に異なるクラスタサイズを通知する例として説明したが、全クラスタで同一のクラスタサイズとしても良く、クラスタサイズを２ビットで示す例として表（５）のように制御情報を付加しても良い。
【０１００】
【表６】
2011142538.tif 000008
【０１０１】
本実施形態における異なるクラスタサイズの帯域割り当て時にクラスタ数を制限し、制限されたクラスタ数のみを示す帯域割り当て情報を通知することにより、基地局装置から移動局装置へ通知する制御情報量が少なくなることから、セルスループットを向上させることができる。
【０１０２】
本発明に関わる移動局装置および基地局装置で動作するプログラムは、本発明に関わる上記実施形態の機能を実現するように、ＣＰＵ等を制御するプログラム（コンピュータを機能させるプログラム）である。そして、これら装置で取り扱われる情報は、その処理時に一時的にＲＡＭに蓄積され、その後、各種ＲＯＭやＨＤＤに格納され、必要に応じてＣＰＵによって読み出し、修正・書き込みが行なわれる。プログラムを格納する記録媒体としては、半導体媒体（例えば、ROM、不揮発性メモリカード等）、光記録媒体（例えば、DVD、MO、MD、CD、BD等）、磁気記録媒体（例えば、磁気テープ、フレキシブルディスク等）等のいずれであってもよい。
【０１０３】
また、ロードしたプログラムを実行することにより、上述した実施形態の機能が実現されるだけでなく、そのプログラムの指示に基づき、オペレーティングシステムあるいは他のアプリケーションプログラム等と共同して処理することにより、本発明の機能が実現される場合もある。また市場に流通させる場合には、可搬型の記録媒体にプログラムを格納して流通させたり、インターネット等のネットワークを介して接続されたサーバコンピュータに転送したりすることができる。この場合、サーバコンピュータの記憶装置も本発明に含まれる。
【０１０４】
また、上述した実施形態における移動局装置および基地局装置の一部、または全部を典型的には集積回路であるＬＳＩとして実現してもよい。移動局装置および基地局装置の各機能ブロックは個別にチップ化してもよいし、一部、または全部を集積してチップ化してもよい。また、集積回路化の手法はＬＳＩに限らず専用回路、または汎用プロセッサで実現しても良い。また、半導体技術の進歩によりＬＳＩに代替する集積回路化の技術が出現した場合、当該技術による集積回路を用いることも可能である。
【０１０５】
以上、この発明の実施形態を、図面を参照して詳述してきたが、具体的な構成はこの実施形態に限られるものではなく、この発明の要旨を逸脱しない範囲の設計等も特許請求の範囲に含まれる。
【符号の説明】
【０１０６】
１  データ分離部
３  伝搬路推定部
５  帯域割当決定部
７  制御情報生成部
９  送信処理部
１０１  受信処理部
１０３  帯域割当情報取得部
１０５  マッピング部
１０７  ＦＦＴ部
１０９  ＩＦＦＴ部
１１１  参照信号多重部
１０１１  フォーマット情報取得部
１０１３  復号部
１０１５  フォーマットチェック部
１０１７  ユーザ判別処理部
１０１９  巡回冗長検査部
【図１】
2011142538.tif 000009
【図２】
2011142538.tif 000010
【図３】
2011142538.tif 000011
【図４】
2011142538.tif 000012
【図５Ａ】
2011142538.tif 000013
【図５Ｂ】
2011142538.tif 000014
【図６】
2011142538.tif 000015
【図７Ａ】
2011142538.tif 000016
【図７Ｂ】
2011142538.tif 000017
【図８】
2011142538.tif 000018
【図９】
2011142538.tif 000019
【図１０】
2011142538.tif 000020
【図１１】
2011142538.tif 000021
【図１２Ａ】
2011142538.tif 000022
【図１２Ｂ】
2011142538.tif 000023
【図１３】
2011142538.tif 000024
【図１４Ａ】
2011142538.tif 000025
【図１４Ｂ】
2011142538.tif 000026
【図１５】
2011142538.tif 000027
【図１６】
2011142538.tif 000028